(57)【要約】【課題】一連の撮影シーケンスの中で、撮像素子からの読み出しと、ストロボのプリ発光を行うタイミングは、それぞれ事前に知り得ることが可能であることから、これを利用して最適な制御を行うことで、撮影画像への影響を及ぼすことなく撮影を行う。【解決手段】画像処理部が撮像部を駆動し、撮像部からの光電変換出力読み出と、ストロボの事前発光が重畳する可能性があるときに、制御部は画像処理部に撮像部からの光電変換出力を読み出しを一時停止し、ストロボの事前発光が完了したことを確認した後に、撮像部からの光電変換出力読み出しを再開する制御を行う。【選択図】図２
2017032881.tif 000002
【特許請求の範囲】
【請求項１】
画像処理部やストロボとの相互通信を独立に行い、各々のタイミングの制御、管理、制御を行う制御部と、
被写体像をレンズを通して受光し光電変換する撮像部と、
撮像部を駆動し、撮像部からの光電変換出力を読み出し、画像として表示できるよう処理を行う画像処理部と、
制御部と通信し、撮影の際に事前発光を行い、被写体像に照射する発光量の最適化を行い、その内容に基づいた光量を、撮像部が被写体像を受光する際に、同期して発光し、発光完了後には、発光完了したことを制御部に返送するストロボから構成され、
画像処理部が撮像部を駆動し、撮像部からの光電変換出力読み出しと、ストロボの事前発光が重畳する可能性があるときに、制御部は画像処理部に撮像部からの光電変換出力を読み出しを一時停止し、ストロボの事前発光が完了したことを確認した後に、撮像部からの光電変換出力読み出しを再開することを特徴とする撮像装置。
【請求項２】
ストロボとの相互通信を無線により行い、各々のタイミングの制御、管理、制御を行う制御部であることを特徴とする請求項１に記載の撮像装置。
【請求項３】
画像処理部やストロボとの相互通信を独立に行い、各々のタイミングの制御、管理、制御を行う制御部と、
被写体像をレンズを通して受光し光電変換する撮像部と、
撮像部を駆動し、撮像部からの光電変換出力を読み出し、画像として表示できるよう処理を行う画像処理部と、
制御部とは光通信部を介して通信を行うことで、
撮影の際に事前発光を行い、被写体像に照射する発光量の最適化を行い、その内容に基づいた光量を、撮像部が被写体像を受光する際に、同期して発光するストロボと、から構成され、
画像処理部が撮像部を駆動し、撮像部からの光電変換出力読み出しと、ストロボの光通信および事前発光が重畳する可能性があるときに、制御部は画像処理部に撮像部からの光電変換出力を読み出しを一時停止し、ストロボの光通信および事前発光が完了したことを確認した後に、撮像部からの光電変換出力読み出しを再開することを特徴とする撮像装置。
【請求項４】
請求項１乃至請求項３の何れか一項に記載の撮像装置を備えたカメラ。
【発明の詳細な説明】
【技術分野】
【０００１】
本発明は、デジタルカメラなどの撮像装置において、ストロボを使用し撮影する際の、撮像素子の読み出し制御およびストロボの発光制御に関する。
【背景技術】
【０００２】
デジタルカメラにおける、撮像画像ノイズとなる要因は様々あり、得られた画像の補正、撮影の際のノイズ発生タイミング制御が対策として提案されている。撮像素子に付きまとう画素欠陥も撮影画像にはノイズとして現れる。撮像素子の歩留まり改善のために、画素欠陥補正技術が様々な方法があり、例えば読みだした撮像素子の出力に異常があって、それが、単発的であり、構成される撮像素子面の場所依存がない場合には、欠陥画素と同様な扱いで対処できる。
【０００３】
ベイヤー配列の撮像素子の欠陥行、列の補間では、欠陥行、列の位置情報を予め記憶しておき、その部位は読みださない駆動を行い、欠陥行、列の前後１行、１列の画素信号を平均して欠陥部の画素信号を置き換える方法が提案されている（特許文献１参照）。
【０００４】
また、シャッター動作による振動によっても撮影画像へのノイズとして影響を与えることが判っていて、その対策として、振動を検知し、振動が生じている期間は撮像素子からの読み出しを停止する方法も考えられている。
【０００５】
シャッター動作による振動をＰＺＴなどの検出部により検出し、振動が検出されている期間は撮像素子からの読み出しを停止。振動なくなったことを判断して読み出し再開する方法が提案されている。
【先行技術文献】
【特許文献】
【０００６】
【特許文献１】特開２００７−１９８４７号公報
【発明の概要】
【発明が解決しようとする課題】
【０００７】
上記カメラにおいて、ストロボを装着して、連続撮影する際、ｎ駒の撮影画像の読みだし中に、ｎ＋１駒目のストロボのプリ発光がなされると、ストロボのプリ発光の際に発生する電界あるいは磁界により、読み出し中の撮像画像に、ノイズとして影響を与えてしまう。
【０００８】
その際、撮像素子のＯＢ（オプティカルブラック）出力レベルが変動すると、ＯＢ（オプティカルブラック）部に引き続き読みだされる受光部出力は、ＯＢ（オプティカルブラック）部との差分処理を行うことから、得られる撮影画像には筋状のノイズとして現れてしまう。
【０００９】
従来の撮像素子の欠陥の補正では、欠陥部位は特定され、撮影前の時点で既にその情報は記憶している。そして撮影後には、欠陥該当部は周囲の画素により補正する。周囲の画素により補正し、その結果が画質に影響をは絶えないための条件から、補正可能な欠陥画素の連続状態を規定するのが一般的で、筋状のノイズに対して、この方法を適用して期待される効果を得るのは難しい。
【００１０】
また、振動を検知して、該当期間撮像素子の読み出しを停止する方法では、振動の発生するタイミングが変動する要因が様々で、さらにこれを検知して対処する方式であるため、精度上の難しさが付きまとう。
【００１１】
本発明は、上述した課題に鑑みてなされたものであり、一連の撮影シーケンスの中で、撮像素子からの読み出しと、ストロボのプリ発光を行うタイミングは、それぞれ事前に知り得ることが可能であることから、これを利用して最適な制御を行うことで、撮影画像への影響を及ぼすことなく撮影を行うことにある。
【課題を解決するための手段】
【００１２】
本発明に係る撮像装置は、画像処理部やストロボとの相互通信を独立に行い、各々のタイミングの制御、管理、制御を行う制御部と、被写体像をレンズを通して受光し光電変換する撮像部と、撮像部を駆動し、撮像部からの光電変換出力を読み出し、画像として表示できるよう処理を行う画像処理部と、制御部と通信し、撮影の際に事前発光を行い、被写体像に照射する発光量の最適化を行い、その内容に基づいた光量を、撮像部が被写体像を受光する際に、同期して発光し、発光完了後には、発光完了したことを制御部に返送するストロボから構成され、画像処理部が撮像部を駆動し、撮像部からの光電変換出力読み出と、ストロボの事前発光が重畳する可能性があるときに、制御部は画像処理部に撮像部からの光電変換出力を読み出しを一時停止し、ストロボの事前発光が完了したことを確認した後に、撮像部からの光電変換出力読み出しを再開することを特徴とする。
【発明の効果】
【００１３】
本発明に係る撮像装置によれば、ストロボのプリ発光が及ぼす撮影画像へのノイズを、個体差、通信時間による変動があっても、影響を受けることなく確実に抑える効果がある。
【図面の簡単な説明】
【００１４】
【図１】本発明の第１の実施形態に係わる一眼レフデジタルカメラのブロック図である。
【図２】第１の実施形態の撮像素子の駆動とストロボの発光タイミングの関係を示す図である。
【図３】図１に示した撮像素子の読み出し動作について示す図である。
【図４】図１に示した回路ブロックの一部について通信線の内容を示す図である。
【図５】図４に示す回路ブロックの通信タイミングと動作について示す図である。
【図６】図１に示した一眼レフデジタルカメラの撮影フローである。
【図７】本発明の第２の実施形態に係わる一眼レフデジタルカメラのブロック図である。
【図８】図７に示した回路ブロックの一部について通信線の内容を示す図である。
【図９】図８に示す回路ブロックの通信タイミングと動作について示す図である。
【図１０】本発明の第３の実施形態に係わる一眼レフデジタルカメラのブロック図である。
【図１１】図１０に示した回路ブロックの一部について通信線の内容を示す図である。
【図１２】図１１に示す回路ブロックの通信タイミングと動作について示す図である。
【発明を実施するための形態】
【００１５】
以下、本発明の実施形態に係わる、一眼レフデジタルカメラについて、図面を参照して詳細に説明する。
【００１６】
［実施の第１の形態］
本発明の実施の第１の形態は、カメラの撮像部から撮像素子出力読み出し中に、次駒撮影のためのストロボのプリ発光がなされるとき、撮像素子出力の読み出しを一時的に停止し、プリ発光終了後には再開するものである。
【００１７】
以下、本発明の実施の第１の形態を詳細に説明する。図１は、本発明の第１の実施形態に係わる一眼レフデジタルカメラのブロック図である。
【００１８】
図１に示すように、本実施形態の画像処理装置１００は、制御手段として機能して全体の制御を行うマイコンＰＲＳ１４０と、ＣＣＤまたはＣＭＯＳエリアセンサ等からなる撮像部１３とを具備している。また、撮像部１３から入力された画像信号を処理する画像処理部１４１、カメラの撮影画像を表示する画像表示部６、複数の画像データを保存する不揮発性の記憶部材からなる外部記憶装置９等も具備している。
【００１９】
マイコンＰＲＳ１４０は、例えば、内部にＣＰＵ（中央演算処理部）、ＲＡＭ、ＲＯＭ、不揮発性メモリ、入出力ポート等が配置されたワンチップのコンピュータ（以下、マイコンと略記する）である。
【００２０】
マイコンＰＲＳ１４０は、ＲＯＭに格納されたシーケンスプログラムに基づいて、一連の動作を行う。また、マイコンＰＲＳ１４０に内蔵されている不揮発性メモリには、一連のパラメータが格納されている。例えば、露出制御や焦点調節に関する調整値等を含む一連のカメラの制御パラメータや、撮像素子の調整値、撮影画像のホワイトバランスから画像表示部６に撮影画像を表示する際の制御値のデータなどのパラメータが格納されている。このように、画像処理の制御、調整に関係する一連のパラメータが不揮発性メモリに格納されている。
【００２１】
撮像部１３は、ＣＣＤまたはＣＭＯＳエリアセンサ等の撮像素子と該撮像素子を駆動するセンサ駆動部とからなる。撮像部１３は、レンズ部５の光学系を通じて、撮影領域からの光束を撮像素子上に結像させており、撮像素子はこの光学像を光電変換し、電気信号として画像処理部１４１へ出力する。
【００２２】
画像処理部１４１は、撮像画像補正部、インターフェイス（ＩＦ）部、表示画生成部から構成されていて、撮像部１３からの撮像素子出力に一連の処理を行っている。撮像画像補正部は、Ａ／Ｄ変換機能を備え、撮像部１３から入力された電気信号をＡ／Ｄ変換し、暗電流補正やシェーディング補正など、撮像部１３に起因する一連の補正を行う。
【００２３】
画像処理部では、ローパスフィルタによりノイズ成分を除去し、画素及び色補間処理、ホワイトバランスやガンマ補正等、いわゆる画像そのものに関する一連の画像処理を行う。ＩＦ部では、一連の画像処理を行った撮影画像データを後述する外部記憶装置９へ送り出したり、外部記憶装置９に記録された撮影画像データを読み出したりする。
【００２４】
また、画像処理部１４１では、画像処理された撮影画像データや、外部記憶装置９に記憶された撮影画像データに対して表示のための一連の処理を行い、ＩＦ部を介して画像表示部６へ出力する。なお、ＩＦ部から画像表示部６へ撮影画像データを出力するまでの一連の処理は、表示画生成部内のリサイズ部、ＶＲＡＭ部を経由して行われる。
【００２５】
画像表示部はＬＣＤ制御部とＬＣＤ表示部で構成され、画像処理部１４１にてＬＣＤ表示向けの画像サイズに調整された画像データにＬＣＤ表示向けに、輝度、コントラスト、γの各調整を行い、ＬＣＤに表示する。バックライトの点灯および輝度制御はマイコンＰＲＳ１４０にて行っている。
【００２６】
画像表示部に表示される対象となる撮影画像データは、前述した撮像部１３で撮像された画像データのほかに、外部記憶装置９に記憶した画像データや、カメラの設定情報がある。
【００２７】
外部記憶装置９は、例えば、ＣＦカードのような複数の画像データを保存することができる不揮発性の記憶部材であって、画像処理装置１００から着脱可能なものである。そして、カメラに装着した状態で画像処理部１４１から出力される撮影画像データを記憶する。これにより、１つまたは複数の撮影画像データを記憶した後に、カメラから取り外して、本システムのデータ形式で読み出し可能な別のシステムに装着すれば、記憶されている撮影画像データの再生、編集、及び保存が可能となる。
【００２８】
また、カメラに外部記憶装置９を再度装着することによって、本システムのデータ形式で読み出し可能な画像データであれば、読み出し後、画像処理部１４１において最適な信号処理を行うことができる。そして、ＬＣＤ制御部においてＬＣＤ表示部に表示するための処理を行った後に、ＬＣＤ表示部に画像を表示することができる。
【００２９】
焦点検出部４は、結像面近傍に配置されたフィールドレンズ、反射ミラー、２次結像レンズ、絞り、及び複数の光電変換素子らかなるＣＣＤ等のラインセンサから構成されている。本実施形態における焦点検出部４は、周知の位相差方式であるとともに、観察画面内（ファインダ視野内）の複数の領域を測距点として、該測距点で焦点を検出することが可能となるように構成されている。
【００３０】
レンズ部５には、焦点調節回路及び絞り駆動回路が組み込まれており、不図示のマウント接点を介してマイコンＰＲＳ１４０と信号の伝達がなされる。マイコンＰＲＳ１４０は焦点検出部４から出力される信号に基づき、レンズ部５に内蔵されている焦点調節回路を動作して、最適な焦点調節となる信号を出力する。さらに、不図示の測光回路から出力される信号に基づいて、レンズ部５に内蔵されている絞り駆動回路を動作して、最適な露光量となる信号を出力する。
【００３１】
ストロボ１５０はカメラ内蔵あるいは着脱可能な外部ストロボであって、カメラとの電気的な接続は、例えばカメラのアクセサリシューに用意された複数の接点と直接あるいはケーブルを介してなさる。電気的に接続された通信系により発光モードや光量、タイミング、発光期間などの一連の制御をストロボ、カメラ間で行っている。
【００３２】
詳細は図を用いて後述する。
【００３３】
図２は３駒連続撮影の際の撮像部の蓄積、読み出しとストロボのプリ発光と本発光のタイミングを示す図である。
【００３４】
以下に撮像部の蓄積、読み出しとストロボのプリ発光と本発光のタイミングを説明する。
撮影１駒目の動作が開始され、ＡＦ動作を行い合焦すると、
時刻ｔ００  ストロボはプリ発光動作を開始
時刻ｔ０１  ストロボはプリ発光動作を完了
ストロボはプリ発光時のカメラの測光データから最適な発光量を確定させる。
そして、時刻ｔ０２  撮像素子にレンズを通した光が入射し、蓄積動作が開始され、ストロボはこれに同期して、プリ発光にて求めた発光量となるように発光動作する。
時刻ｔ０３  ストロボは意図する発光量となり発光を終了。
時刻ｔ０４  撮像部は意図する光量を蓄積し蓄積を終了。
時刻ｔ０５  撮像部から時刻ｔ０４までに蓄積された光電変換出力の読み出しの開始。
時刻ｔ０６  撮像部からの読み出しを停止し、ストロボは２駒目撮影のためのプリ発光を開始。
時刻ｔ０７  ストロボはプリ発光を終了。撮像部からの読み出しを再開。
時刻ｔ２８  撮像部からの読み出し動作を終了。
ここで、１駒目の動作が終了する。
時刻ｔ０６から時刻ｔ０７までの期間では撮像素子からの読み出しを一時停止してストロボのプリ発光を行っている。
【００３５】
図３はＫｘＬ画素の撮像素子の構成を簡略的に示した図である。この図を使い、図２（Ａ）、図２（Ｂ）の撮像部の読み出し動作を説明する。
【００３６】
図３（Ａ）は撮像素子の概略構成を示す図である。
【００３７】
ＯＢ部（オプティカルブラック）と受光部から構成されている。ＯＢ部は遮光されており、一般的に暗電流成分を求め補正に使う。受光部は例えばＲＧＢ各画素をベイヤー配列で配置し、被写体からの光をカメラレンズを通して照射される。
【００３８】
図３（Ｂ）は撮像素子を構成する画素出力読み出しを説明するための図である。
【００３９】
図３（Ｂ）では水平１ラインがＯＢ部と受光部からの合計Ｋ画素で構成される。例えばライン１はＯＢ１と受光部１で構成されている。読み出しはライン単位で行われ、ライン１から読み出しを開始し、ｎ−１ラインまでの読み出しを行ったところで読み出しを一時停止する。図中、読み出し一時停止１から読み出し一時停止Ｍまでは、読み出し動作の際のＭライン分を意味し、ここでは、Ｍライン分の読み出しに相当する時間経過したことになる。
【００４０】
そして、読み出しを再開しｎラインからＬラインまでの読み出しを行っている。このとき、１フレームの読みだしに掛かる時間は、途中Ｍラインの読み出しに相当する時間分の一時停止を行っていることから、Ｍ＋Ｌライン分の読み出しに掛かった時間となる。
【００４１】
上述のＭライン相当の読み出し一時停止期間は、
図２における時刻ｔ０６から時刻ｔ０７なる期間の、ストロボのプリ発光の際の読み出し停止期間と同じである。
【００４２】
図５と図６を使って、図１のマイコンＰＲＳ１４０と画像処理部１４１、ストロボ１５０での通信と撮像装置の制御、ストロボの制御の関係について説明する。
【００４３】
図５は図１のマイコンＰＲＳ１４０と画像処理部１４１、ストロボ１５０の通信線について示したもの。
マイコンＰＲＳ１４０とストロボ１５０との間はシリアル通信ができ、
通信クロック／ＳＣＬＫ、
データ線ＳＤＯ  マイコンＰＲＳ１４０からストロボ１５０へのシリアルデータ線
データ線ＳＤＩ  ストロボ１５０からマイコンＰＲＳ１４０へのシリアルデータ線
データ線／ＳＴＯＮ    ストロボ１５０からマイコンＰＲＳ１４０への通信要求線
からなる。
【００４４】
マイコンＰＲＳ１４０と画像処理部１４１との間はシリアル通信ができ、
通信クロック／ＣＣＬＫ、
データ線ＣＤＯ  マイコンＰＲＳ１４０から画像処理部１４１へのシリアルデータ線
データ線／ＣＤＩ  画像処理部１４１からマイコンＰＲＳ１４０へのシリアルデータ線
データ線／ＩＢＵＳＹ  画像処理部１４１からマイコンＰＲＳ１４０への通信要求線
からなる。
【００４５】
マイコンＰＲＳ１４０は、シリアル通信でストロボ１５０の制御を行い、ストロボのモード、発光量、発光タイミング等が行える。
【００４６】
ストロボ１５０は充電完了などマイコンＰＲＳ１４０へ状態を伝えたいときにデータ線／ＳＴＯＮにて通信リクエストをだし、マイコンＰＲＳ１４０との通信を行う。また、発光期間はデータ線／ＳＴＯＮをＬレベルに引き下げる。
【００４７】
マイコンＰＲＳ１４０は、画像処理部１４１ともシリアル通信を行い、一連の画像処理の内容設定から読み出し動作の制御等が行える。画像処理部１４１が動作しているか否かは／ＩＢＵＳＹにより知ることができる。
【００４８】
図６を使って、ストロボを使用したときのカメラの撮影シーケンスの説明をする。
【００４９】
撮影シーケンスはシャッターボタンを押し、スイッチＳＷ１がオンすることにより開始される（＃１００）。シャッターボタンはそのストロークによりＳＷ１、ＳＷ２の２つのスイッチがあって、ＳＷ１をオンするためのストロークはＳＷ２よりも短い。
【００５０】
ＳＷ１がオンすると装着しているレンズを使いＡＦ（自動焦点調整）が行われ、これから撮影する被写体に焦点あわせが行われる（＃２００）。
【００５１】
ＡＦ（自動焦点調整）が完了すると、測光が行われる。撮影領域の明るさを測光し、設定されている撮影モードにおける最適な設定時を求める（＃３００）。例えばプログラムモードであれば、設定されいるＩＳＯ感度とプログラム線図よりシャッタースピードＴＶとレンズ絞りＡＶが決まる。
【００５２】
そして、シャッターボタンがさらに押し込まれ、スイッチＳＷ２がオンすると（＃４００）、高速連写モードであれば（＃５００）ストロボをプリ発光させてその際の明るさを測定し、ストロボの最適な発光量を求める（＃６００）。
【００５３】
続いて、シヤッターを走査し撮像素子へ撮影領域の光をレンズを通して照射する。このときストロボは発光し、その光は撮影領域を照明している（＃７００）。
【００５４】
露光が完了すると、撮像素子からの読み出しに移るが、スイッチＳＷ２がオンであると次の駒の撮影実行と判断する（＃７５０）。
【００５５】
撮像素子からの読み出しＡ（＃８００）、画像処理および記録（＃９００）は、１つのフレームについて読み出し順に連続に行われ、その間に、次の駒の撮影に移るのだが、読み出しＡでは読み出し中に次の駒の撮影のためのプリ発光のタイミングがくるので、図２の１駒目、２個目に示すように、一時読み出しの停止を行う（＃８００）。
【００５６】
高速連写撮影最終駒であれば、次の撮影はなくプリ発光もないので、読み出しＢなる動作となる。
【００５７】
読み出しＢは、図２の３駒目（図２での撮影最終駒）のように、読み出し中に一時停止を行うことはない（＃８１０）。
【００５８】
読み出した画像はカメラ内部の記憶部一時記憶され、画像処理されたのち外部記録部に記録される（＃９１０）。
【００５９】
そして、撮影した画像をカメラ背面の表示パネルに表示し（＃１０００）、１回の一連の撮影動作は終了し、＃１００に戻り次の撮影に備える。
【００６０】
高速連写モードでなければ（＃５００）、撮影間隔が広がり、撮像素子からの読み出し中にストロボプリ発光のタイミングがくることはないので、ストロボプリ発光（＃６１０）、露光（＃７１０）を、＃６００、＃７００から撮像素子との読み出しのタイミング管理を不要にした内容で行う。
【００６１】
さらに、低速連写モードでなければ（＃７３０）、上述した高速連写モードでの最終撮影駒と同じ動作（＃８１０、＃９１０、＃１０００）で撮影を完了する。
【００６２】
低速連写モードであると（＃７３０）、スイッチＳＷ２がオンであれば（＃７７０）、上述した高速連写モードでの最終撮影駒と同じ内容で撮像部からの読み出し（読み出しＢ）を途中一時停止することなく行い（＃８２０）、読み出した内容は画像処理を行い、外部記録装置に記録し（＃９２０）、次の駒の撮影に移る。
【００６３】
スイッチＳＷ２がオフであれば（＃７７０）撮影最終駒なので、上述のごとく＃８１０、＃９１０、＃１０００を行い一連の撮影を完了する。
【００６４】
カメラは上述のようなフローにより、撮像素子からの読み出しの際のストロボプリ発光タイミングについて対応している。
【００６５】
以上のように、カメラの全体を管理するマイコンがストロボとの通信、画像処理部との通信を行って、ストロボのプリ発光と撮像素子の読み出し関するタイミングそれぞれを管理することで、画像処理部は、ストロボプリ発光の際には一時的に撮像素子からの読み出しを停止し、ストロボプリ発光により起きる撮像画像への影響を未然に防ぐことができる。
【００６６】
制御を司る部位による直接管理であるから、タイミング精度は高く、読み出し一時停止を必要とする期間は必要最小限にでき、一連のカメラ動作に与える時間的影響も最小で済む。
【００６７】
［実施の第２の形態］
本発明の実施の第１の形態は、カメラとストロボが有線により接続された状態での、ストロボプリ発光と撮像部からの読み出しの関係についてであった。
【００６８】
実施の第２の形態では、カメラとストロボが無線通信によるインターフェイスを行う際のストロボプリ発光と撮像部からの読み出しの関係について説明する。
【００６９】
図７は本発明の第２の実施形態に係わる一眼レフデジタルカメラのブロック図である。
【００７０】
電波通信ストロボ１６０は、電波通信機能を備えたストロボであり、マイコンＰＲＳ１４０とのコミニュケーションは電波を利用した無線により行われる。電波通信部１６５はカメラに着脱可能あるいは内蔵され、マイコンＰＲＳ１４０からのストロボの一連の制御内容を電波を利用してストロボ１６０と通信を行う。電波通信部１６５とストロボ１６０は双方向の通信を行い、何らかの障害により送信内容が適切に受信されないときは、送信を再度行う。
【００７１】
このようにして、マイコンＰＲＳ１４０からのプリ発光、本発光や各設定などのストロボの一連の機能は、電波を利用しワイヤレスで行われる。
【００７２】
他の部位は、本発明の第１の実施形態である図１と同じでありここでの説明は省略する。
【００７３】
図７ではストロボは１台であるが、複数台使うことも可能であり、その際には、ストロボ毎に個別に制御することや、同じ内容で同時に制御することもできる。
【００７４】
図８は図７のブロック図におけるマイコンＰＲＳ１４０とストロボ１６０、画像処理部１４１、電波通信部１６５とのインターフェイスについて示す図である。
【００７５】
マイコンＰＲＳ１４０と画像処理部１４１との内容は図４と同じであり、ここでの説明は省略する。
【００７６】
マイコンＰＲＳ１４０と電波通信部１６５とは図１のストロボ１５０と同じインターフェイスであり、マイコンＰＲＳ１４０は、ストロボ１５０とのコミニュケーションとの差異なく動作する。
【００７７】
電波通信部１６５はマイコンＰＲＳ１４０からのストロボの制御内容を電波にて電波通信ストロボ１６０へ送信する。電波通信ストロボ１６０は電波通信部１６５からの受信した内容に従い、ストロボの一連の動作を行う。
【００７８】
電波通信部１６５と電波通信ストロボは１６０は双方向通信可能であり、通信毎にその内容が受信されたことの確認のための返信を行い、通信の信頼性を確保している。
【００７９】
通信方法はＢＬＵＥＴＯＯＴＨ（登録商標）やＺＩＧＢＥＥなど既知のものを使っている。詳細についてはここでは触れない。
【００８０】
図９は図７のブロック図にある構成でのマイコンＰＲＳ１４０が行っている電波通信部１６５と電波通信ストロボ１６０、画像処理部１４０との通信、および画像処理部の読み出し動作の関係について示す図である。
【００８１】
時刻ｔ５０から時刻ｔ５３までは図５と同じでありここでの説明は省略する。
時刻ｔ５４  マイコンＰＲＳ１４０は、画像処理部１４１への撮像からの読み出し動作の一時停止通信が完了すると、電波無線通信部１６５にプリ発光を指示する内容の通信を行う。
時刻ｔ５５  画像処理１４１は撮像部からの読み出しを一時停止する。
時刻ｔ５６１  電波無線通信部１６５は信号／ＳＴＯＮを引き下げて、ストロボが発光する状態であることをマイコンＰＲＳに伝えるとともに、電波通信ストロボ１６０へマイコンＰＲＳから受けた指示を送信する。
時刻ｔ５６２  電波通信ストロボ１６０は電波通信内容を受け取ったことを返信する。
時刻ｔ５６３  電波通信ストロボ１６０は通信完了するとともにプリ発光を行う。
時刻ｔ５６４  電波通信ストロボ１６０はプリ発光完了後、完了したことを電波通信部１６５に向けて送信する。
時刻ｔ５６５  電波通信部１６５は受信したことを返信する。
時刻ｔ５７  電波通信部１６５は、信号／ＳＴＯＮを引き上げて、電波通信ストロボ１６０がプリ発光を終了したことをマイコンＰＲＳ１４０に伝える。
マイコンＰＲＳ１４０はプリ発光完了したことを知り、画像処理部１４１に読み出しを再開することを通信する。
時刻ｔ５８〜時刻ｔ６１の内容は図５と同じであり、ここでの説明は省略する。
【００８２】
このように、ストロボとカメラ間のインターフェイスが無線通信によるものであっても、無線通信を双方向で行うことで確実な制御が行われる。
【００８３】
ここでは、無線インターフェイスを備えたストロボは１台であったが、無線では、複数台の制御も可能である。
【００８４】
複数台を使う場合には、図９の時刻ｔ５４から時刻ｔ５７の間において行ったマイコンＰＲＳ１４０とストロボ間通信を、使用するストロボ毎に順次行うことで対応できる。
【００８５】
［実施の第３の形態］
本発明の実施の第２の形態は、カメラとストロボは電波により通信が行われたときの、ストロボプリ発光と撮像部からの読み出しの関係についてであった。
【００８６】
実施の第３の形態では、カメラとストロボが光を利用した無線通信によるときのストロボプリ発光と撮像部からの読み出しの関係について説明する。
図１０は本発明の第３の実施形態に係わる一眼レフデジタルカメラのブロック図である。
【００８７】
光通信ストロボ１７０は、光通信機能を備えたストロボであり、マイコンＰＲＳ１４０とのコミニュケーションは光を利用した無線により行われる。光通信部１７５は、カメラに着脱可能あるいは内蔵され、マイコンＰＲＳ１４０からのストロボの一連の制御内容を光を利用してストロボ１７０へ伝える。光通信部１７５は、光通信ストロボ１７０のプリ発光時と同じ回路機能を備えていて、通信の際は、発光時間や間隔を制御して通信コード化している。そのため撮像部からの読み出しと同時に行ったときには、画像への影響を伴う。
【００８８】
光通信部１７５とストロボ１７０は、光通信部から発信の片方向通信であるため、１回の通信動作では同じ内容を複数回摺り返すことで信頼性を高めている。
【００８９】
このようにして、マイコンＰＲＳ１４０からのプリ発光、本発光や各設定などのストロボの一連の機能は、光を利用しワイヤレスで行われる。
ボの一連の機能は、光を利用しワイヤレスで行われる。
【００９０】
他の部位は、本発明の第１の実施形態である図１と同じでありここでの説明は省略する。
【００９１】
図１１は図１０のブロック図におけるマイコンＰＲＳ１４０とストロボ１７０、画像処理部１４１、光通信部１７５とのインターフェイスについて示す図である。
【００９２】
マイコンＰＲＳ１４０と画像処理部１４１との内容は、図４と同じでありここでの説明は省略する。
【００９３】
マイコンＰＲＳ１４０と光通信部１７５とは図１にストロボ１５０と同じインターフェイスであり、マイコンＰＲＳ１４０は、ストロボ１５０とのコミニュケーションとの差異なく動作する。
【００９４】
光通信部１７５は、マイコンＰＲＳ１４０からのストロボの制御内容を光にて光通信ストロボ１７０へ送信する。光通信ストロボ１７０は光通信部１７５からの受信した内容に従い、ストロボの一連の動作を行う。
【００９５】
光通信部１７５と光通信ストロボは１７０は、光通信部からの片方向通信可能である。
【００９６】
図１２は図１０のブロック図にある構成でのマイコンＰＲＳ１４０が行っている光通信部１７５と光通信ストロボ１７０、画像処理部１４０との通信、および画像処理部の読み出し動作の関係について示す図である。
【００９７】
時刻ｔ５０から時刻ｔ５３までは図５と同じでありここでの説明は省略する。
時刻ｔ５４  マイコンＰＲＳ１４０は、画像処理部１４１への撮像からの読み出し動作の一時停止通信が完了すると、光通信部１７５にプリ発光を指示する内容の通信を行う。
時刻ｔ５５  画像処理１４１は撮像部からの読み出しを一時停止する。
時刻ｔ５６１  光通信部１６５は信号／ＳＴＯＮを引き下げて、ストロボが発光する状態であることをマイコンＰＲＳ１４０に伝えるとともに、光通信ストロボ１７０へマイコンＰＲＳ１４０から受けた指示を送信する。
光通信部１６５は、光通信ストロボ１７０のプリ発光と同等の回路を備え、プリ発光と同じ動作を発光期間、間隔を変えてコード化し光送信する。
ｔ５６６  同じ内容の光送信を３回繰り返し終えると、光通信ストロボ１７０は、その内容に基づいてプリ発光を行う。
時刻ｔ５７  光通信部１７５は、信号／ＳＴＯＮを引き上げて、光通信ストロボ１７０がプリ発光を終了したことをマイコンＰＲＳ１４０に伝える。
マイコンＰＲＳ１４０はプリ発光完了したことを知り、画像処理部１４１に読み出しを再開することを通信する。
【００９８】
このとき、光通信部１７５は、時刻ｔ５６６から時刻ｔ５７までのプリ発光に掛かる期間を予め記憶している。
【００９９】
時刻ｔ５８〜時刻ｔ６１の内容は図５と同じであり、ここでの説明は省略する。
【０１００】
このように、ストロボとカメラ間のインターフェイスが光通信によるものであって、プリ発光と同様な回路機能による発光でなされるときは、光通信期間も、画像処理部１４１に読み出しの一時停止を行うことで、画像への影響を防ぐことができる。
【０１０１】
また、カメラとストロボのインターフェイスが光通信によるものであっても、相互の通信によりタイミングの管理が適確にできるので、ストロボのプリ発光と、撮像素子からの読み出しタイミングの制御については有線によるインターフェイス時と大差なく行われ、ストロボのプリ発光による読み出し中の画像への影響を防ぐことができる。
【符号の説明】
【０１０２】
２  撮像素子、４  光学部材、５  撮影レンズユニット、６  画像表示部、
８  測光センサ、９  外部記憶装置、１３  撮像部、１４０  マイコンＰＲＳ、
１４１  画像処理部、１５０  ストロボ、
１６０  ストロボ（電波通信インターフェイス）、１６５  電波通信部、
１７０  ストロボ（光通信インターフェイス）、１７５  光通信部
【図２】
2017032881.tif 000003
【図１】
2017032881.tif 000004
【図３】
2017032881.tif 000005
【図４】
2017032881.tif 000006
【図５】
2017032881.tif 000007
【図６】
2017032881.tif 000008
【図７】
2017032881.tif 000009
【図８】
2017032881.tif 000010
【図９】
2017032881.tif 000011
【図１０】
2017032881.tif 000012
【図１１】
2017032881.tif 000013
【図１２】
2017032881.tif 000014